(57)【要約】【課題】本発明は、舌片状の弾性を有する胸椎矯正片と腰椎矯正片とを各々胸椎支持体および腰椎支持体に内向きに形成し、体幹に対する動きの自由度を担保せしめつつ、好適な装着感でもって特に就寝中における側弯矯正を適正に行うことが出来る、側弯矯正装具を提供するものである。【解決手段】体幹１５の輪郭に合せて骨盤支持体２と脊柱支持体３と胸椎支持体４とが一体形成されてなる前開き自在な側弯矯正装具１において、上記胸椎支持体４の一側には略横向きＵ字形状の貫通切込み線９を介して舌片状の弾性胸椎矯正片７が内方に向けて形成されると共に、該胸椎矯正片７に対応すべく骨盤支持体２には略横向きＵ字形状の貫通切込み線１０を介して舌片状の弾性腰椎矯正片８が内方に向けて形成されている。【選択図】図１
2014087381.tif 000002
【特許請求の範囲】
【請求項１】
体幹の輪郭に合せて骨盤支持体と脊柱支持体と胸椎支持体とが一体形成されてなる前開
き自在な側弯矯正装具において、上記胸椎支持体の一側には略横向きＵ字形状の貫通切込
み線を介して舌片状の弾性胸椎矯正片が内方に向けて形成されると共に、該胸椎矯正片に
対応すべく骨盤支持体には略横向きＵ字形状の貫通切込み線を介して舌片状の弾性腰椎矯
正片が内方に向けて形成されてなることを特徴とする、側弯矯正装具。  
【請求項２】
胸椎矯正片と腰椎矯正片の内面には各々パッドが取付けられてなることを特徴とする、
請求項１記載の側弯矯正装具。
【請求項３】
胸椎矯正片と腰椎矯正片との自由端は各々胸椎支持体および腰椎支持体に面ファスナ−
付き支持バンドを介して弾発調整自在に支持せしめられてなることを特徴とする、請求項
１又は２記載の側弯矯正装具。  
【発明の詳細な説明】
【技術分野】
【０００１】
本発明は側弯矯正装具、さらに詳細には、特に就寝時に着用して好適に側弯症を矯正す
ることが出来る夜間用の側弯矯正装具に関する。
【背景技術】
【０００２】
側弯症は、脊柱が右または左に弯曲したもので、多くの場合に脊柱の回旋を伴うもので
ある。そして、かかる弯曲の程度は、側弯の上端の椎骨と下端の椎骨がつくる角度で表わ
され、軽症の場合には目立たないが、１５度を越える場合には外見上も明らかとなり、両
肩や肩甲骨の高さが異なってくる。そして、前屈すると、脊柱の凸側の脊部の肋骨が後方
にふくらみ、重症になると単に外見上の問題だけでなく、胸郭の変形から呼吸機能が低下
するのみならず、心臓機能の低下を惹起せしめるものであり、一般に２０度を越える場合
には治療が必要とされるものである。
【０００３】
そして、かかる側弯症の治療としては、特開平５−４２１７５号公報、特開平６−２９
６６３７号公報などに開示されている腰椎牽引装置を用いて懸垂や斜面牽引などを行う運
動療法、側弯矯正装具を用いる保存方法が知られている。
【０００４】
ところで、上記保存方法に用いられる側弯矯正装具としては、一般的には非特許文献１
記載のミルウォ−キ−型、アンダ−ア−ム型ボストンタイプのものが使用されているが、
特に特発性側弯症などの場合には就寝時に使用する夜間用の側弯矯正装具が使用されてい
る。  
そして、かかる夜間用の側弯矯正装具としては、非特許文献２記載のプロビデンスブレ
−ス、あるいは非特許文献３記載のチャ−ルストンブレ−ス（ＣｈａｒｌｅｓｔｏｎＢｒａｃｅ）が知られており、これらの夜間用の側弯矯正装具は、体幹の輪郭に合せて骨盤支持体と脊柱支持体と胸椎支持体とが一体形成され、該胸椎支持体の一側には胸椎矯正部が内方突出状に一体形成されると共に、該胸椎矯正部に対応すべく骨盤支持体には腰椎矯正部が内方突出状に一体形成され、かつ前開き自在とされた基本構成よりなるものである。      
【０００５】
上述の如く構成された非特許文献２・３記載の夜間用の側弯矯正装具は、側弯カ−ブと
反対側に脊柱が曲がるような位置に胸椎矯正部と腰椎矯正部とを各々当てがいつつ体幹に
装着せしめ、就寝中に胸椎矯正部・腰椎矯正部の曲げ作用でもって側弯矯正せしめるもの
である。
【先行技術文献】
【非特許文献】
【０００６】
【非特許文献１】社団法人日本義肢協会「靴型装具・体幹装具」（２０１２年９月１２日検索）、インタ−ネット＜ＵＲＬ：ｈｔｔｐ：／／ｗｗｗ．ｊ−ｏｐａ．ｏｒ．ｐ／ｓｏｕｇｕｔｏｈａ／ｓｏｕｇｕｎｉｔｕｉｔｅ．ｈｔｍ＞
【非特許文献２】「側弯装具プロビデンス  夜専用ダブルカ−ブ過矯正型（追記あり）」２０１２年９月１２日検索）、インタ−ネット＜ＵＲＬ：ｈｔｔｐ：／／ｂｌｏｇ．ｇｏｏ．ｎｅ．ｊｐ／ａｕｇｕｓｔ０３／ｅ／ｄ６４ｃ２８ａｅｃｃｅ８ａ２１６８２６１３１６７ｅｄｌｆａｃ０ｅ＞
【非特許文献３】「ＣｈａｒｌｅｓｔｏｎＢｒａｃｅ」２０１２年９月１２日検索）、インタ−ネット＜ＵＲＬ：ｈｔｔｐ：／／ｗｗｗ．ｓｃｏｌｉｏｓｉｓｎｕｔｔｙ．ｃｏｍ／ｃｈａｒｌｅｓｔｏｎ−ｂｒａｃｅ．ｐｈｐ＞
【発明の概要】
【発明が解決しようとする課題】
【０００７】
ところで、上記非特許文献２・３記載の夜間用の側弯矯正装具は、胸椎支持体及び骨盤
支持体に各々内方突出状に一体形成された胸椎矯正部と腰椎矯正部とをそれぞれ側弯カ−
ブと反対側に背骨が曲がるような位置に当てがいつつ体幹に装着してその曲げ作用により
強制的に側弯矯正せしめるものであるから、胸椎矯正部および腰椎矯正部の動きの自由度
は殆んどないものである。このため、装着自体が非常に窮屈できつく、不快な装着感を生
起せしめるものとなっていた。   
【０００８】
本発明は従来の課題を解決し、舌片状の弾性を有する胸椎矯正片と腰椎矯正片とを各々
胸椎支持体および腰椎支持体に内向きに形成し、体幹に対する動きの自由度を担保せしめ
つつ、好適な装着感でもって就寝中における側弯矯正を適正に行うことが出来る、側弯矯
正装具を提供しようとするものである。
【課題を解決するための手段】
【０００９】
上記の目的を達成するため、本発明の請求項１記載の発明は、体幹の輪郭に合せて骨盤
支持体と脊柱支持体と胸椎支持体とが一体形成されてなる前開き自在な側弯矯正装具にお
いて、上記胸椎支持体の一側には略横向きＵ字形状の貫通切込み線を介して舌片状の弾性
胸椎矯正片が内方に向けて形成されると共に、該胸椎矯正片に対応すべく骨盤支持体には
略横向きＵ字形状の貫通切込み線を介して舌片状の弾性腰椎矯正片が内方に向けて形成さ
れてなることを特徴とする、側弯矯正装具を要旨とするものである。
【００１０】
本発明の請求項２記載の発明は、胸椎矯正片と腰椎矯正片との内面には各々パッドが取
付けられてなることを特徴とする、請求項１記載の側弯矯正装具を要旨とするものである
。
【００１１】
本発明の請求項３記載の発明は、胸椎矯正片と腰椎矯正片との自由端は各々胸椎支持体
および腰椎支持体に面ファスナ−付き支持バンドを介して弾発調整自在に支持せしめられ
てなることを特徴とする、請求項１または２記載の側弯矯正装具を要旨とするものである
。  
【発明の効果】
【００１２】
本発明の請求項１記載の発明は、上述のように構成されているから、特発性側弯症など
の側弯カ−ブと反対側に脊柱が曲がるような位置に舌片状の弾性を有する胸椎矯正片と腰
椎矯正片とを各々当てがいつつ体幹に装着せしめる。
そして、胸椎矯正片と腰椎矯正片との弾発力でもって就寝時における体幹の動きの自由
度を担保せしめ、好適な装着感で就寝時における特発性側弯症などの側弯矯正を適正に行
うことが出来るものである。
【００１３】
本発明の請求項２記載の発明は、上述のように構成されているから、体幹に対する胸椎
矯正片および腰椎矯正片の当りが良くて好適な装着感を呈するのみならず、その矯正力の
具合を適正に調整せしめることが出来るものである。
【００１４】
本発明の請求項３記載の発明は、上述のように構成されているから、胸椎矯正片および
腰椎矯正片の自由端を支持せしめてその弾発力を調整せしめつつ適正に支持せしめること
が出来るものである。
【図面の簡単な説明】
【００１５】
【図１】本発明の一実施例を使用例と共に示す正面図である。
【図２】本発明の一実施例を示す背面図である。
【図３】実施例の胸椎矯正片７と腰椎矯正片８を示す一部拡大正面図である。
【発明を実施するための形態】
【００１６】
以下に、本発明を実施するための形態を図面に示す一実施例に基づいて説明する。
【００１７】
図１〜図３は本発明の一実施例を示すもので、同図中、１は特発性側弯症などの体幹輪
郭に合せて形成された前開き状の夜間用の側弯矯正装具で、該側弯矯正装具１はサブオル
ソレンや軟質ポリエチレンなどの熱可塑性樹脂により成型されている。２は上記側弯矯正
装具１を構成する略欠楕円形状の骨盤支持体、３は脊柱を支持せしめるべく該骨盤支持体
２の背部中央に一体に立設された脊柱支持体、４は骨盤支持体２より該脊柱支持体３の両
側に一体形成された胸椎支持体、５は該胸椎支持体４の開放端間に架設状に付設された面
ファスナ−付き胸椎用装具バンド、６は骨盤支持体２の開放端間に架設状に付設された面
ファスナ−付き骨盤用装着バンドである。７は側弯カ−ブと反対側に脊椎が曲がるような
位置に当てがうべく胸椎支持体４の一側に横設された広幅な大舌片状の弾性を有する胸椎
矯正片、８は該胸椎矯正片７に対応すべく骨盤支持体２の一側に横設された狭幅な小舌片
状の弾性を有する腰椎矯正片で、該腰椎矯正片８と胸椎矯正片７とは各々横向き略Ｕ字形
状の貫通切込み線９・１０を介して弾発自在とされている。
そして、上記胸椎矯正片７と腰椎矯正片８との自由端は各々胸椎支持体４および骨盤支
持体２に面ファスナ−付き支持バンド１１・１２を介して弾発調整自在に支持せしめられ
ている。１３・１４は上記胸椎矯正片７と腰椎矯正片８の内面に各々取付けられたパッド
、１５は人体の体幹を示す。
【００１８】
次に、上述の如く構成された側弯矯正装具１は、特に夜間の就寝時に特発性側弯症など
の患者に装着して側弯矯正せしめる。即ち、先ず、支持バンド１１・１２を介して胸椎矯
正片７と腰椎矯正片８との自由端側における弾発力を患者に合せて適正に調整せしめる。
しかるのち、側弯カ−ブと反対側に脊椎が曲がる位置にパッド１３・１４を介して胸椎
矯正片７と腰椎矯正片８とを当接せしめつつ、骨盤支持体２を体幹１５の骨盤に、脊柱支
持体３を脊柱に、胸椎支持体４を胸椎に各々当てがいつつ外嵌せしめる。ついで、装着バ
ンド５・６により骨盤支持体２および胸椎支持体４の前部開放端を緊締せしめ、側弯矯正
装具１を体幹１５にぴったりとフィットせしめた状態に装着せしめる。このさい、胸椎矯
正片８と腰椎矯正片９との内面には各々パッド１３・１４が取付けられているから、体幹
１５に対する当りが良くて好適な装着感を呈し、しかも、その矯正力の具合を適宜調整す
ることが出来るのみならず、胸椎矯正片７および腰椎矯正片８は弾性を有するものとされ
ているから、その弾発力でもって就寝時における体幹１５の動きに対する自由度を担保せ
しめ、好適な装着感でもって特発性側弯症などの側弯矯正を効果的に行うことが出来るも
のである。
【００１９】
なお、パッド１３・１４は胸椎矯正片７および腰椎矯正片８の内面にのみ取付けられて
いるが、必要に応じて適宜胸椎支持体４・脊椎支持体３・骨盤支持体２の内面にも取付けても良いものである。
また、上記実施例の側弯矯正装具１の適用例として特発性側弯症を示したが、これに限
定されるものでなく、先天性側弯症、マルファン症候群、空洞症などの側弯矯正にも適用
せしめることが出来る。さらに、側弯矯正装具１は夜間就寝時の使用のみならず、昼間あ
るいは昼夜両用として、術前の矯正ギブスの代用として、あるいは、乳児期の矯正ギブス
の代用として使用に供することが出来るものである。
【符号の説明】
【００２０】
１    側弯矯正装具
２    骨盤支持体
３    脊柱支持体
４    胸椎支持体
７    胸椎矯正片
８    腰椎矯正片
９    貫通切込み線
１０  貫通切込み線
１１  支持バンド
１２  支持バンド
１３  パッド
１４  パッド
１５  体幹
【図１】
2014087381.tif 000003
【図２】
2014087381.tif 000004
【図３】
2014087381.tif 000005